(57)【特許請求の範囲】
【請求項１】
ユーザの動作を検出し検出信号を出力するセンサと、前記センサから出力される検出信号に基づいて楽音信号生成を行う楽音信号生成手段とを有する楽音信号生成装置において、
他の機器を着脱自在に装着することが可能な装着部と、
前記装着部に装着可能な前記他の機器に対応付けて、楽音信号を生成するための制御態様を示す制御態様情報が予め記憶されているとともに、本装置を一意に識別するための識別情報と本装置の優先度を示す優先度情報とが予め記憶されている記憶手段と、
前記装着部に装着されている前記他の機器が、前記センサ、前記楽音信号生成手段、前記装着部および前記記憶手段と同様の構成を有する他の楽音信号生成装置である場合に、該他の楽音信号生成装置の記憶手段に記憶されている優先度情報および識別情報と該他の楽音信号生成装置のセンサから出力される検出信号とが入力される入力手段と、
を具備し、
前記楽音信号生成手段は、
前記入力手段へ入力された優先度情報と本装置の記憶手段に記憶されている優先度情報とを比較し、本装置の優先度が高い場合には、前記入力手段へ入力された識別情報で識別される機器に対応付けて本装置の記憶手段に記憶されている制御態様情報と、本装置のセンサから出力された検出信号と前記入力手段へ入力された検出信号に基づいて楽音信号生成を行う
ことを特徴とする楽音信号生成装置。
【請求項２】
前記楽音信号生成手段は、
本装置の優先度が低い場合には、本装置のセンサから出力された検出信号に基づいて楽音信号生成を行うことに替えて、本装置の記憶手段に記憶されている識別情報と該検出信号とを、前記装着部に装着されている他の機器へ出力する
ことを特徴とする請求項１に記載の楽音信号生成装置。
【請求項３】
第１の楽音信号生成装置と第２の楽音信号生成装置とを有し、前記第１の楽音信号生成装置と前記第２の楽音信号生成装置の各々が、ユーザの動作を検出し検出信号を出力するセンサと、前記センサから出力される検出信号に基づいて楽音信号生成を行う楽音信号生成手段と、を有する楽音信号信号生成システムにおいて、
前記第１の楽音信号生成装置と前記第２の楽音信号生成装置の各々は、
他の機器を着脱自在に装着することが可能な装着部を有し、該装着部によって互いに接続されているとともに、
前記装着部に装着可能な前記他の機器に対応付けて、楽音信号を生成するための制御態様を示す制御態様情報が予め記憶されているとともに、自装置を一意に識別するための識別情報と自装置の優先度を示す優先度情報とが予め記憶されている記憶手段と、
前記装着部に装着されている前記他の機器が、前記センサ、前記楽音信号生成手段、前記装着部および前記記憶手段と同様の構成を有する他の楽音信号生成装置である場合に、該他の楽音信号生成装置の記憶手段に記憶されている優先度情報および識別情報と該他の楽音信号生成装置のセンサから出力される検出信号とが入力される入力手段と、
を具備し、
前記第１の楽音信号生成装置と前記第２の楽音信号生成装置の各々が有する楽音信号生成手段は、自装置の入力手段へ入力された優先度情報と自装置の記憶手段に記憶されている優先度情報とを比較し、
自装置の優先度が高い場合には、自装置の入力手段へ入力された識別情報で識別される機器に対応付けて自装置の記憶手段に記憶されている制御態様情報と、自装置のセンサから出力された検出信号と自装置の入力手段へ入力された検出信号に基づいて楽音信号生成を行う一方、
自装置の優先度が低い場合には、自装置のセンサから出力された検出信号に基づいて楽音信号生成を行うことに替えて、自装置の記憶手段に記憶されている識別情報と該検出信号とを、自装置の装着部に装着されている他の機器へ出力する
ことを特徴とする楽音信号生成システム。
【発明の詳細な説明】
【０００１】
【発明の属する技術分野】
本発明は、ユーザの動作に応じて楽音信号を生成する楽音信号生成装置および楽音信号生成システムに関する。
【０００２】
【従来の技術】
従来より、操作子を操作する等の演奏者の動作を検出し、該検出結果に応じて電子的に楽音を発生する電子楽器が用いられている。このような電子楽器には、ピアノやバイオリン等のアコースティック楽器を模倣したタイプのものに限らず、アコースティック楽器とは異なる新たなタイプのものも開発されている。
【０００３】
【発明が解決しようとする課題】
しかし、上述したような従来の電子楽器では、演奏操作子の数や配置の仕方といった演奏操作子に関連する構成は固定であるため、発音する音色変更等の制御変更は可能であるが、所望の楽音を発生するために必要となる基本的な演奏内容を大きく変更することはできなかった。例えば、電子的な楽曲演奏を行う場合には、音高、発音タイミング、音量といったパラメータが必要となるが、初心者にとっては３つのパラメータを意識しながら演奏を行うのは困難である場合がある。すなわち、熟練者にとっては容易な演奏操作、つまり所望のタイミングに、所望の操作子を、所望の強さで操作するといった演奏操作は、初心者にとっては複雑であり、実際に行うには困難である。したがって、初心者の演奏練習においては、タイミング、強さ、どの操作子を操作するといった３つの操作内容のうち、２つもしくは１つの操作を省くようにすれば初心者でも効果的な練習が行えるようになるが、演奏操作子に関連する構成が固定であるため、上記のようなある操作を省くといった操作内容の大幅な変更はできなかった。もちろん、予め上記の操作内容を省略できるような操作子構成を有する電子楽器を提供等すれば、初心者がその電子楽器を用いて効果的な演奏練習を行うことができるが、その演奏者の習熟度レベルが向上した場合には、その電子楽器での演奏が簡単であるため退屈してしまうこともある。
【０００４】
また、楽曲毎にその楽曲を演奏しやすい操作子構成を採用するといったように操作子構成を容易に変更することができれば、初心者にとっては、短時間でその楽曲演奏に慣れ親しむことができ、楽曲演奏をより身近に感じることができる。一方、上記のように操作子の構成を容易に変更することができれば、中級者や上級者にとっても同じ楽曲の演奏を、様々な演奏操作内容で実現することができるので、演奏者に新たな娯楽性を提供することができる。
【０００５】
このように操作子の構成等を容易に変更することができれば、種々のメリットが得られるが、従来の電子楽器では操作子の構成は固定であり、操作子の構成を変更したい場合には、異なる電子楽器を購入等しなくてはならなかった。
【０００６】
本発明は、上記の事情を考慮してなされたものであり、楽音発生のための操作内容等のフレキシブルな変更が可能な楽音信号生成装置および楽音信号生成システムを提供することを目的とする。
【０００７】
【課題を解決するための手段】
上記課題を解決するために、本発明に係る楽音信号生成装置は、ユーザの動作を検出し検出信号を出力するセンサと、前記センサから出力される検出信号に基づいて楽音信号生成を行う楽音信号生成手段とを有する楽音信号生成装置において、他の機器を着脱自在に装着することが可能な装着部と、前記装着部に装着可能な前記他の機器に対応付けて、楽音信号を生成するための制御態様を示す制御態様情報が予め記憶されているとともに、本装置を一意に識別するための識別情報と本装置の優先度を示す優先度情報とが予め記憶されている記憶手段と、前記装着部に装着されている前記他の機器が、前記センサ、前記楽音信号生成手段、前記装着部および前記記憶手段と同様の構成を有する他の楽音信号生成装置である場合に、該他の楽音信号生成装置の記憶手段に記憶されている優先度情報および識別情報と該他の楽音信号生成装置のセンサから出力される検出信号とが入力される入力手段と、を具備し、前記楽音信号生成手段は、前記入力手段へ入力された優先度情報と本装置の記憶手段に記憶されている優先度情報とを比較し、本装置の優先度が高い場合には、前記入力手段へ入力された識別情報で識別される機器に対応付けて本装置の記憶手段に記憶されている制御態様情報と、本装置のセンサから出力された検出信号と前記入力手段へ入力された検出信号に基づいて楽音信号生成を行うことを特徴としている。
【０００８】
このような構成によれば、上記楽音信号生成装置と同様の構成を有し、より優先度の低い他の楽音信号生成装置が装着部に装着された場合に、自装置のセンサから出力された検出信号の他に、当該他の楽音信号生成装置のセンサから出力された検出信号に基づいて楽音信号生成が為される。この際、装着された他の楽音信号生成装置を識別し、識別結果に対応した制御態様にしたがって楽音信号を生成することができる。したがって、操作系の構造等の異なる他の楽音信号生成装置が適宜接続された場合にも、当該他の楽音信号生成装置に対するユーザの操作に応じた検出信号を取り込んで、あたかも単一の装置のように楽音信号を生成することができる。したがって、装着する他の楽音信号生成装置を取り替えるといった容易な作業で操作系の構造等をフレキシブルに変更することが可能となる。
【０００９】
また、上記課題を解決するために、本発明に係る楽音信号生成システムは、第１の楽音信号生成装置と第２の楽音信号生成装置とを有し、前記第１の楽音信号生成装置と前記第２の楽音信号生成装置の各々が、ユーザの動作を検出し検出信号を出力するセンサと、前記センサから出力される検出信号に基づいて楽音信号生成を行う楽音信号生成手段と、を有する楽音信号信号生成システムにおいて、前記第１の楽音信号生成装置と前記第２の楽音信号生成装置の各々は、他の機器を着脱自在に装着することが可能な装着部を有し、該装着部によって互いに接続されているとともに、前記装着部に装着可能な前記他の機器に対応付けて、楽音信号を生成するための制御態様を示す制御態様情報が予め記憶されているとともに、自装置を一意に識別するための識別情報と自装置の優先度を示す優先度情報とが予め記憶されている記憶手段と、前記装着部に装着されている前記他の機器が、前記センサ、前記楽音信号生成手段、前記装着部および前記記憶手段と同様の構成を有する他の楽音信号生成装置である場合に、該他の楽音信号生成装置の記憶手段に記憶されている優先度情報および識別情報と該他の楽音信号生成装置のセンサから出力される検出信号とが入力される入力手段と、を具備し、前記第１の楽音信号生成装置と前記第２の楽音信号生成装置の各々が有する楽音信号生成手段は、自装置の入力手段へ入力された優先度情報と自装置の記憶手段に記憶されている優先度情報とを比較し、自装置の優先度が高い場合には、自装置の入力手段へ入力された識別情報で識別される機器に対応付けて自装置の記憶手段に記憶されている制御態様情報と、自装置のセンサから出力された検出信号と自装置の入力手段へ入力された検出信号に基づいて楽音信号生成を行う一方、自装置の優先度が低い場合には、自装置のセンサから出力された検出信号に基づいて楽音信号生成を行うことに替えて、自装置の記憶手段に記憶されている識別情報と該検出信号とを、自装置の装着部に装着されている他の機器へ出力することを特徴としている。
【００１０】
【発明の実施の形態】
以下、図面を参照して本発明の実施形態について説明する。
Ａ．実施形態の構成
まず、図１は本発明の一実施形態に係る電子楽器を組み合わせて構成される組み合わせ電子楽器の外観を示す。同図に示すように、この組み合わせ電子楽器１００は、外観形状がほぼ円盤状の円盤状電子楽器（楽音信号生成装置）１１０と、外観形状が長尺の円柱状の円柱状電子楽器（楽音信号生成装置）１２０とを備え、これらの円盤状電子楽器１１０および円柱状電子楽器１２０を組み合わせた電子楽器である。
【００１１】
図２に示すように、組み合わせ電子楽器１００を構成する円盤状電子楽器１１０および円柱状電子楽器１２０は、互いの電子楽器を装着するための機械的な装着部１１１，１２１（例えば嵌め込み構造や、ネジ止め等による装着構造であってもよい）を有しており、お互いの装着部１１１，１２１で両者を結合することにより、図１に示すような外観形状を有する１つの組み合わせ楽器が構成されるようになっている。ここで、円盤状電子楽器１１０と円柱状電子楽器１２０とを装着部１１１，１２１で装着した場合に、後述する両者の接続インターフェース間のデータ通信が可能となるように両者の接続端同士が接触するようになっている。
【００１２】
円盤状電子楽器１１０は、円盤状の筐体部１１４と、筐体部１１４の表面部に配置される３つの扇形の操作部１１２ａ，１１２ｂ，１１２ｃとを有している。この円盤状電子楽器１１０および組み合わせ電子楽器１００では、演奏者がこれらの操作部１１２ａ，１１２ｂ，１１２ｃを適宜選択して叩くことにより所望の楽音を発生させることができるようになっている。
【００１３】
また、円柱状電子楽器１２０は、円柱状の筐体部１２４と、筐体部１２４の長手方向（図中矢印方向）に沿って移動可能になされたスライダー１２３とを有している。筐体部１２４の表面には、その長手方向に沿って伸びる案内溝１２２が形成されており、この案内溝１２２にスライダー１２３が摺動可能に嵌合されている。この円柱状電子楽器１２０および組み合わせ電子楽器１００では、演奏者がこのスライダー１２３を移動させることにより発生させる楽音を制御することができるようになっている。
【００１４】
以上のように円盤状電子楽器１１０および円柱状電子楽器１２０を組み合わせた組み合わせ電子楽器１００は、操作部１１２ａ，１１２ｂ，１１２ｃやスライダー１２３を適宜操作することにより、所望の楽音を発生させることができる電子楽器である。以下、図３を参照しながら、組み合わせ電子楽器１００を構成する円盤状電子楽器１１０および円柱状電子楽器１２０の電気的構成について説明する。
【００１５】
同図に示すように、円盤状電子楽器１１０は、３つのセンサ２００ａ，２００ｂ，２００ｃと、信号処理部２０１と、制御部２０２と、音源２０３と、スピーカシステム２０４と、接続インターフェース（Ｉ／Ｆ）２０５とを備えている。
【００１６】
センサ２００ａ，２００ｂ，２００ｃの各々は、操作部１１２ａ，１１２ｂ，１１２ｃ（図１および図２参照）に対応して設けられるセンサである。センサ２００ａ，２００ｂ，２００ｃは、対応する操作部１１２ａ，１１２ｂ，１１２ｃの変形を検出し、その検出信号Ｓａ，Ｓｂ，Ｓｃを信号処理部２０１に出力する。ここで、センサ２００ａ，２００ｂ，２００ｃとしては、機械的な物理量（変位、応力等）を検出することが可能なセンサ、例えば圧電センサ等が用いられる。圧電センサを用いた場合には、センサ２００ａ，２００ｂ，２００ｃは対応する操作部１１２ａ，１１２ｂ，１１２ｃの変位量に応じた電圧を発生し、該電圧を検出信号として出力する。上述したように操作部１１２ａ，１１２ｂ，１１２ｃは、楽曲等の演奏時には演奏者によって叩かれる部位である。したがって、各センサ２００ａ，２００ｂ，２００ｃは演奏者による演奏動作（強弱等を含む）を検出し、その検出信号を信号処理部２０１に出力しているのである。
【００１７】
信号処理部２０１は、センサ２００ａ，２００ｂ，２００ｃから供給される検出信号Ｓａ，Ｓｂ，Ｓｃに対して所定のバンドパスフィルタに通す等の信号処理を施し、検出信号Ｓａ，Ｓｂ，Ｓｃを制御部２０２によって実行される楽音信号生成のための制御処理に用いることができる信号にして制御部２０２に出力する。
【００１８】
制御部２０２は、ＣＰＵ（Central Processing Unit）２２０、ＲＯＭ（Read Only Memory）２２１、ＲＡＭ（Random Access Memory）２２２およびＥＥＰＲＯＭ（Electrically Erasable and Programmable ROM）２２３等から構成されている。
【００１９】
ＲＯＭ２２１には、種々の制御プログラムが格納されており、ＣＰＵ２２０がこれらのプログラムを実行することにより、楽器全体の制御に加え、上記の検出信号Ｓａ，Ｓｂ，Ｓｃ等に基づいた楽音信号生成のための制御処理を行うことができるようになっている。また、ＲＯＭ２２１には、当該円盤状電子楽器１１０を識別するための識別情報と、当該円盤状電子楽器１１０の優先度を示す優先度情報とが格納されており、これらの情報が後述する楽音信号を生成するための制御処理や実行装置決定処理等において用いられる。ＲＡＭ２２２は、楽音信号生成のための制御処理や実行装置決定処理等を実行する際のＣＰＵ２２０のワーキングエリアとして使用される。
【００２０】
ＥＥＰＲＯＭ２２３には、楽曲の演奏を行うための楽音のノートオンおよびノートオフタイミング、音高、ベロシティーおよび音色等の情報が示された楽曲データ（例えば、ＭＩＤＩ（Musical Instrument Digital Interface）データが格納されるとともに、上記楽音信号生成のための制御処理において用いられる制御態様テーブルが格納されている。ここで、図４にＥＥＰＲＯＭ２２３に格納される制御態様テーブルの内容を示す。同図に示すように、制御態様テーブルには、「接続相手情報」と「制御態様情報」とが対応付けて格納されている。「接続相手情報」には、当該円盤状電子楽器１１０の装着部１１１（図２参照）に接続可能な機器を示す情報が格納され、「制御態様情報」には対応する「接続相手情報」に示される機器が当該円盤状電子楽器１１０に接続された場合に、どのような楽音信号生成のための制御を行うべきかを記述した情報が格納されている。より具体的には、どのセンサのどのような検出結果に応じて、どのような音高や音色の楽音をどのような音量で発生させるか等を規定する制御情報が格納されている。図示の例では、制御部２０２は、接続相手が「なし」、すなわち他の機器が接続されていない場合には制御態様Ａに記述された内容にしたがって楽音信号生成のための制御処理を行い、電子楽器Ａが接続されている場合には制御態様Ｂにしたがって楽音信号生成のための制御処理を行うことになる。
【００２１】
本実施形態では、ＥＥＰＲＯＭ２２３の記憶内容は、当該円盤状電子楽器１１０に設けられた図示せぬ操作ボタン群等をユーザが操作することにより、適宜書き換えることができるようになっている。すなわち、上記のような制御態様テーブルの設定内容を変更したり、新たな楽曲データを記憶させたり、ある楽曲データを消去したりすることができるようになっている。なお、本実施形態では、楽曲データや上記制御態様テーブルを格納する記憶手段として、ＥＥＰＲＯＭを採用しているが、書換可能な記憶手段であればよく、例えばハードディスクなどを代用することもできる。
【００２２】
図３に戻り、制御部２０２は、上述したＲＯＭ２２１に格納されたプログラムに従い、ＲＯＭ２２１に格納される優先度情報を用いて、接続相手もしくは当該円盤状電子楽器１１０のいずれが主導装置となって楽音発生のための処理を行うかを決める実行装置決定処理を行う。また、ＥＥＰＲＯＭ２２３に格納された制御態様テーブルや楽曲データを用いて楽音信号生成のための制御処理を行う。これらの実行装置決定処理および楽音信号生成のための制御処理についての詳細は後述する。
【００２３】
音源２０３は、上記制御部２０２による楽音信号生成のための制御処理によって決定された楽音信号生成のためのパラメータにしたがって楽音信号を生成し、生成した楽音信号をスピーカシステム２０４に出力する。ここで、制御部２０２から供給される楽音信号生成のためのパラメータは、発音タイミング、音色、音高、音量等を示すパラメータであり、音源２０３はこれらのパラメータに示される情報にしたがって楽音信号を生成する。スピーカシステム２０４は、音源２０３から供給される楽音信号に対してＤ／Ａ（Digital to Analog）変換等を施した後、当該楽音信号に対応する楽音をスピーカから発生させる。
【００２４】
接続インターフェース（入力手段）２０５は、当該円盤状電子楽器１１０の装着部１１１（図２参照）に接続されている他の電子機器（図１および図２では、円柱状電子楽器１２０）との間でデータの授受を行うためのインターフェースである。このような接続インターフェース２０５としては、当該組み合わせ電子楽器１００においてのみ用いられる専用のインターフェースを用いるようにしてもよいが、本実施形態ではパーソナルコンピュータ等の他の電子機器との間でのデータ授受を可能とするために汎用のインターフェース（例えば、ＵＳＢ（Universal Serial Bus））を用いている。汎用インターフェースを採用することで、パーソナルコンピュータ等から当該円盤状電子楽器１１０に楽曲データを取り込んでＥＥＰＲＯＭ２２３に格納したりすることができる。また、パーソナルコンピュータ等から上述した制御態様テーブルの設定内容の書き換えを行うことができるようにしてもよい。
【００２５】
次に、円柱状電子楽器１２０は、センサ３００と、信号処理部３０１と、制御部３０２と、音源３０３と、スピーカシステム３０４と、接続インターフェース（Ｉ／Ｆ）３０５とを備えている。
【００２６】
センサ３００は、案内溝１２２に沿って移動可能になされたスライダー１２３（図１および図２参照）の位置を検出するセンサである。スライダー１２３の位置を検出することができれば公知の種々のセンサを利用することができるが、例えば案内溝１２２に沿って多数の発光部および受光部を対向配置するとともに、発光部と受光部間に位置するシャッター部材をスライダー１２３に設ける光センサを用いることができる。このような光センサを用いた場合、スライダー１２３の位置に応じて、対向配置される発光部と受光部との間がシャッター部材によって遮られるので、受光を遮られた受光部の位置にスライダー１２３があると検出することができる。センサ３００は、このように検出したスライダー１２３の位置を示す検出信号Ｓを信号処理部３０１に出力する。上述したようにスライダー１２３は、楽曲等の演奏時には演奏者によって移動させられる部位である。したがって、センサ３００は演奏者による演奏動作を検出し、その検出信号Ｓを信号処理部３０１に出力しているのである。
【００２７】
信号処理部３０１は、センサ３００から供給される検出信号Ｓに対して所定の信号処理を施し、検出信号Ｓを制御部３０２によって実行される楽音信号生成のための制御処理に用いることができる信号にして制御部３０２に出力する。
【００２８】
制御部３０２は、ＣＰＵ３２０、ＲＯＭ３２１、ＲＡＭ３２２およびＥＥＰＲＯＭ３２３等から構成されており、当該円柱状電子楽器１２０の全体を制御するとともに、上記円盤状電子楽器１１０における制御部２０２と同様、実行装置決定処理や楽音信号生成のための制御処理等を行う。ここで、ＲＯＭ３２１に格納される当該円柱状電子楽器１２０を識別するための識別情報や優先度情報やＥＥＰＲＯＭ３２３に格納される制御態様テーブルの内容等は異なるものの、他の部分については上記円盤状電子楽器１１０の制御部２０２と同様であるため、その詳細な説明は割愛する。
【００２９】
音源３０３は、上記制御部３０２による楽音信号生成のための制御処理によって決定された楽音信号生成のためのパラメータにしたがって楽音信号を生成し、生成した楽音信号をスピーカシステム３０４に出力する。スピーカシステム３０４は、音源２０３から供給される楽音信号に対してＤ／Ａ変換等を施した後、当該楽音信号に対応する楽音をスピーカから発生させる。
【００３０】
接続インターフェース３０５は、当該円柱状電子楽器１２０の装着部１１２（図２参照）に接続されている他の電子機器（図１および図２では、円盤状電子楽器１１０）との間でデータの授受を行うためのインターフェースであり、本実施形態では上記円盤状電子楽器１１０と同様、汎用のインターフェースが用いられる。
【００３１】
以上のような構成を有する円盤状電子楽器１１０および円柱状電子楽器１２０を組み合わせた組み合わせ電子楽器１００を用い、演奏者が操作部１１２ａ，１１２ｂ，１１２ｃを叩いたり、スライダー１２３を移動させたりすることにより電子的に楽音を発生させることができる。
【００３２】
Ｂ．実施形態の動作
次に、上記構成の円盤状電子楽器１１０および円柱状電子楽器１２０を組み合わせた組み合わせ電子楽器１００の動作について説明する。ここで、円盤状電子楽器１１０および円柱状電子楽器１２０の両者の制御部２０２および制御部３０２によって実行される処理は同一であるため、以下においては円盤状電子楽器１１０を主体として実行される制御処理動作について説明する。
【００３３】
Ｂ−１．メインルーチン
図５に示すように、当該円盤状電子楽器１１０に電源が投入されると、初期化処理が行われる（ステップＳ１）。ここで、初期化処理とは各種フラグ等の初期化処理である。次に、装着部１１１に接続された装置と自装置のいずれが楽音発生のための処理を主導的に行うかを決定するための実行装置決定処理が行われる（ステップＳ２）。このように実行装置決定処理が行われると、楽音信号生成のための制御処理が行われる（ステップＳ３）。次に、その他の様々な処理（例えば、図示せぬ操作スイッチ等に応じた制御処理や図示せぬ表示部への表示制御処理等）が行われるが（ステップＳ４）、本発明とは関連性がないため、その他の処理についての説明は割愛する。ここで、ステップＳ２〜ステップＳ４の処理は、この円盤状電子楽器１１０に電源が投入されている間、繰り返し実行される。
【００３４】
以上説明したのが、制御部２０２により実行されるメインルーチンであり、以下、実行装置決定処理および楽音信号生成のための制御処理について図６および図７を参照しながら詳細に説明する。
【００３５】
Ｂ−２．実行装置決定処理
まず、実行装置決定処理について図６を参照しながら説明する。実行装置決定処理において、制御部２０２は円盤状電子楽器１１０の装着部１１１に他の機器が装着されたか否かを判別する（ステップＳａ１）。ここで、他の機器が装着されたか否かは、装着部１１１近傍に他の機器の装着の有無を検出するセンサ等を設け、該センサの検出結果によって判別するようにすればよい。そして、他の機器が装着されていないと判別した場合には、制御部２０２は組み合わせフラグをオフに設定し（ステップＳａ２）、当該実行装置決定処理を終了する。なお、組み合わせフラグがオンである場合には、接続された他の機器と協働して楽音発生を行うモードであること示し、組み合わせフラグがオフである場合には単独の電子楽器として楽音発生を行うモードであることを示す。
【００３６】
一方、他の機器が接続されたと判別された場合には制御部２０２は、組み合わせフラグをオンに設定し（ステップＳａ３）、接続された他の機器との間で接続インターフェース２０５を介したデータ通信を可能とするために接続確立処理を行う（ステップＳａ４）。接続された他の機器（以下、円柱状電子楽器１２０とする）との間でデータ通信のための接続を確立すると、制御部２０２はＲＯＭ２２１に格納されている優先度情報を円柱状電子楽器１２０に送信するとともに、他の機器である円柱状電子楽器１２０から送信される優先度情報を受信するといった優先度情報の交換処理を行う（ステップＳａ５）。
【００３７】
上記のように互いの優先度情報を交換すると、制御部２０２は自身の優先度情報（ＲＯＭ２２１に格納されている優先度情報）と、接続されている機器である円柱状電子楽器１２０から受信した優先度情報（ＲＯＭ３２１に格納されている優先度情報）とを比較し、どちらの優先度情報がより高い優先度を示すものであるかを判別する（ステップＳａ６）。ここで、自身の優先度が高いと判別した場合には（ステップＳａ６の判別「ＹＥＳ」）、制御部２０２は接続されている円柱状電子楽器１２０から送信される識別情報を取得する（ステップＳａ７）。一方、接続されている円柱状電子楽器１２０から供給された優先度情報の方が高い優先度を示している場合には、ＲＯＭ２２１に格納されている自装置（円盤状電子楽器１１０）を識別するための識別情報を円柱状電子楽器１２０に送信する（ステップＳａ１０）。この実行装置決定処理は、接続相手である円柱状電子楽器１２０においても同時に実行されているため、自身の優先度が高い場合には、優先度の低い接続相手の装置から識別情報が送信されることになる。したがって、上記ステップＳａ７では、接続相手の装置を識別するための識別情報を取得することができるのである。
【００３８】
また、自身の優先度が高い場合に制御部２０２は、上記のように接続相手の識別情報を取得すると共に、ＲＡＭ２２２に用意されるレジスタの実行装置フラグをオンに設定する（ステップＳａ８）。ここで、実行装置フラグがオンであることは、自装置が楽音発生のための処理を主導的に行う装置であることを意味し、当該フラグがオフであることは楽音発生のための処理を補助的に行う装置であることを意味する。そして、制御部２０２は、ＥＥＰＲＯＭ２２３に格納された制御態様テーブルを参照し、上記のように取得した接続相手の装置の識別情報に基づいて、楽音信号生成のための制御処理の制御態様を設定し（ステップＳａ９）、実行装置決定処理を終了する。図４に示すような制御態様テーブルが格納されている場合に取得した識別情報が電子楽器Ｂを示しているときには、制御部２０２は楽音信号生成のための制御処理の態様を制御態様Ｃに記述されたものに設定する。
【００３９】
一方、自装置の優先度が接続相手の装置の優先度よりも低い場合（ステップＳａ６の判別「ＮＯ」）、制御部２０２は上述したようにＲＯＭ２２１に格納されている識別情報を接続相手の装置に送信するとともに（ステップＳａ１０）、実行装置フラグをオフに設定し（ステップＳａ１１）、実行装置決定処理を終了する。
【００４０】
Ｂ−３．楽音信号生成のための制御処理
次に、図７を参照しながら楽音信号生成のための制御処理について説明する。同図に示すように、楽音信号生成のための制御処理において、制御部２０２は組み合わせフラグがオンであるか否かを判別する（ステップＳｂ１）。ここで、組み合わせフラグがオフである場合（ステップＳｂ１の判別「ＮＯ」）、すなわち他の機器が接続されていない場合には、当該円盤状電子楽器１１０を単独の電子楽器として動作させるためにＥＥＰＲＯＭ２２３の制御態様テーブルを参照し、他の機器が接続されていない場合の制御態様に設定する（ステップＳｂ２）。
【００４１】
そして、当該円盤状電子楽器１１０のセンサ２００ａ，２００ｂ，２００ｃから供給される検出信号Ｓａ，Ｓｂ，Ｓｃのみを取得する（ステップＳｂ３）。すなわち、円盤状電子楽器１１０の操作部１１２ａ，１１２ｂ，１１２ｃが演奏者によってどのように叩かれたか等の演奏者の演奏動作を示す検出信号を取得する。制御部２０２は、取得した自装置に対する演奏動作を表す検出信号Ｓａ，Ｓｂ，Ｓｃに基づいて楽音信号を生成するための音高、音色等の種々のパラメータを決定する（ステップＳｂ４）。制御部２０２はこのようにして決定したパラメータを音源２０３に出力し、これにより当該パラメータに応じた楽音信号が生成される。この結果、スピーカシステム２０４から当該円盤状電子楽器１１０の操作部１１２ａ，１１２ｂ，１１２ｃのみに対して行われる叩く等の演奏動作に応じた楽音が発生する。
【００４２】
一方、ステップＳｂ１の判別において、組み合わせフラグがオンであると判別された場合には、実行装置フラグがオンであるか否かを判別する（ステップＳｂ５）。すなわち、他の機器が接続されている場合には、自装置もしくは他の機器のいずれが主導的に楽音発生のための処理を行うかを判別するのである。ここで、実行装置フラグがオフの場合（ステップＳｂ５の判別「ＮＯ」）、当該円盤状電子楽器１１０は楽音発生のための処理を補助的に行う装置であるので、制御部２０２はセンサ２００ａ，２００ｂ，２００ｃから供給される検出信号Ｓａ，Ｓｂ，Ｓｃを接続されている他の機器である円柱状電子楽器１２０に送信する（ステップＳｂ８）。
【００４３】
一方、実行装置フラグがオンの場合、当該円盤状電子楽器１１０が楽音発生のための処理を主導的に行う装置であるので、制御部２０２は自装置のセンサ２００ａ，２００ｂ，２００ｃから供給される検出信号Ｓａ，Ｓｂ，Ｓｃを取得するとともに、接続されている円柱状電子楽器１２０から送信される検出信号Ｓを取得する（ステップＳｂ６）。そして、これらの取得した検出信号Ｓａ，Ｓｂ，Ｓｃおよび検出信号Ｓに基づいて、設定されている制御態様（図６のステップＳａ９参照）に従い、音高、音色等の各種パラメータを決定する（ステップＳｂ７）。制御部２０２はこのようにして決定したパラメータを音源２０３に出力し、これにより当該パラメータに応じた楽音信号が生成される。この結果、スピーカシステム２０４から当該円盤状電子楽器１１０の操作部１１２ａ，１１２ｂ，１１２ｃに対して行われる叩く等の演奏動作に加え、接続されている円柱状電子楽器１２０のスライダー１２３の位置をも考慮して決定された楽音が発生する。
【００４４】
以上説明したように、本実施形態に係る円盤状電子楽器１１０および円柱状電子楽器１２０を組み合わせた組み合わせ電子楽器１００では、自装置の優先度が接続されている機器よりも高い場合には、自装置のセンサの検出結果、すなわち自装置に対する演奏動作に加え、接続されている機器のセンサの検出結果、すなわち接続されている機器に対する演奏動作をも反映した楽音発生のための処理を行うことができる。したがって、演奏者は単に円盤状電子楽器１１０と円柱状電子楽器１２０とを組み合わせることにより、特別な設定操作等を行うことなく、各々の電子楽器の演奏のための操作構成（操作部１１２ａ，１１２ｂ，１１２ｃやスライダー１２３）を利用した演奏を行うことができるのである。
【００４５】
また、本実施形態では、上記制御態様テーブルを参照し、接続している相手に応じた制御態様にしたがって楽音発生のための処理が行われることになる。すなわち、円盤状電子楽器１１０や円柱状電子楽器１２０は、その各々を単独で電子楽器として使用した場合と、両者を組み合わせて使用する場合と、さらには他の電子楽器と組み合わせて使用する場合とで、どのような演奏操作でどのような楽音発生を行うかといった制御態様を異ならせることができるのである。したがって、接続している相手楽器の操作構成（スライダー等）等に応じて好適な制御態様を制御態様テーブルに設定しておけば、接続相手に応じて自動的に好適な楽音発生処理がなされることになる。
【００４６】
また、上記の円盤状電子楽器１１０および円柱状電子楽器１２０といったタイプの操作系の構成を備えた電子楽器に限らず、多種多様の操作系を有する電子楽器を用意し、これらを任意に組み合わせて電子楽器を構成すれば、その組み合わせ電子楽器があたかも単一の電子楽器のように扱えるようになり、かつそれらの組み合わせ方に応じた楽音発生制御が行われるのである。このように任意に接続する電子楽器（操作系の構成）を変更できるようにし、その相手に応じて好適な制御態様にしたがった楽音発生制御を行えるようにすることで、例えば演奏技術の習熟度に応じて好適な電子楽器を提供することができるといった効果を奏する。
【００４７】
上記のような効果を奏する理由について、設定する制御態様の内容を具体的に例示して詳細に説明する。例えば、上記のように円盤状電子楽器１１０と円柱状電子楽器１２０とが組み合わせて構成された場合に用いられる制御態様を次のように設定しておく。
【００４８】
ａ．発生楽音の音量を示すパラメータを決定するために、円柱状電子楽器１２０におけるスライダー１２３の位置、すなわちセンサ３００の検出信号Ｓを用いる。例えば、スライダー１２３が円盤状電子楽器１１０側にあるほど音量が大きく、円盤状電子楽器１１０から遠い位置になるほど音量が小さくなるような設定とする。
ｂ．楽音の発生タイミングを決定するために、センサ２００ａ，２００ｂ，２００ｃの検出信号Ｓａ，Ｓｂ，Ｓｃを用いる。より具体的には、円盤状電子楽器１１０における各操作部１１２ａ，１１２ｂ，１１２ｃのいずれかが叩かれたタイミングで楽音発生を行うようにするといったようにセンサ２００ａ，２００ｂ，２００ｃからの検出信号Ｓａ，Ｓｂ，Ｓｃを用いるように設定する。
ｃ．発生楽音の音高を示すパラメータを決定するために、ＥＥＰＲＯＭ２２３に格納されている楽曲データを用いる。すなわち、音高を示すパラメータは、演奏者の演奏動作によって決定するのではなく、楽曲データにしたがって決定する。
【００４９】
以上のような制御態様を設定すると、演奏者は円柱状電子楽器１２０のスライダー１２３の位置を調節することで楽音の発生音量を制御でき、操作部１１２ａ，１１２ｂ，１１２ｃのいずれかを叩くことで、楽曲データにしたがった音高の楽音が発生することになる。すなわち、演奏者は音高を指定するための操作を行うことなく、楽曲に忠実な音高の楽音が発生することになる。したがって、演奏者の演奏操作の負担が減少し、初心者であっても比較的容易に、かつより正確な楽曲演奏を行うことができるようになる。
【００５０】
上記のような制御態様を設定しておけば、容易かつより正確な楽曲演奏を行うことができ、楽曲演奏に慣れ親しむ段階の演奏者（初心者等）には好適であるが、ある程度習熟度が向上すると、簡単な演奏内容で楽曲演奏が実現できると物足りなさを感じてしまうこともある。このような場合には、円柱状電子楽器１２０に代えて、図８に示すように、複数の演奏操作ボタン群８０が設けられた円柱状電子楽器１２０’を円盤状電子楽器１１０に装着するようにすればよい。このように単にスライダー１２３をスライドさせるといった単純な操作が行える円柱状電子楽器１２０よりも演奏のために操作する内容（演奏操作ボタン群８０の選択押下操作等）が多い、すなわち複雑な操作が行える円柱状電子楽器１２０’を接続した場合には、上記のように音高を楽曲データにしたがって決定するのではなく、演奏操作ボタン群８０の操作内容に応じて音高を決定するような制御態様を用いるようにすればよい。このようにすれば、円盤状電子楽器１１０に円柱状電子楽器１２０’を円盤状電子楽器１１０に接続すると、演奏者自身が演奏操作ボタン群８０を適宜選択押下操作して発生させる楽音の音高を決定することができる組み合わせ電子楽器となる。すなわち、スライダー１２３をスライドさせるといった単純な操作しかできない円柱状電子楽器１２０と比較して、正確な演奏を行うためにより複雑な演奏操作を要求される電子楽器が構成されることになる。したがって、ある程度の習熟度に達した演奏者にとっては手応えのある演奏を行えるようになる。
【００５１】
上記のように習熟度の向上等に起因し、電子楽器をどのように組み合わせて演奏したいかといった演奏者の要望も変更することもあり得るが、本実施形態によれば、新たな電子楽器を購入等することなく、各電子楽器の組み合わせを変更する、すなわちパーツの交換をすることで新たな要望に応じた組み合わせ電子楽器を構成することができる。
【００５２】
また、このように任意に接続する電子楽器（操作系の構成）を変更できるようにし、その接続相手に応じて好適な制御態様にしたがった楽音発生制御を行えるようにすることで、習熟度の異なる演奏者でアンサンブルを行う場合にも、各々の演奏者が習熟度に応じて電子楽器の組み合わせを選択することができる。したがって、習熟度の低い演奏者が極端にひどい楽曲演奏を行うといったことが抑制される一方で、習熟度の高い演奏者にとって演奏が簡単すぎるために退屈になってしまうこと等を抑制することができる。この結果、習熟レベルの差に関わらず、全ての演奏者が楽しめるアンサンブルを実現することも可能である。
【００５３】
また、本実施形態のように、様々な演奏のための操作構成を有する電子楽器を適宜組み合わせ、該組み合わせに応じて好適な楽音発生のための制御態様を設定することができるようにすれば、ある楽曲の演奏には電子楽器Ａと電子楽器Ｂとを組み合わせた組み合わせ電子楽器で演奏し、別の楽曲の演奏には電子楽器Ａと電子楽器Ｃとを組み合わせた組み合わせ電子楽器で演奏するといったことも可能である。習熟度の高い演奏者であっても、その演奏手法によってある操作系の構成の電子楽器では苦手な楽曲等が存在することもあるが、本実施形態では、自身の演奏スタイルに合致するように複数の電子楽器を組み合わせれば、演奏手法に関わらず多種の楽曲演奏を容易に行うことができるようになる。
【００５４】
例えば、上述した円盤状電子楽器１１０は、筐体部１１４の表面に扇形の操作部１１２ａ，１１２ｂ，１１２ｃを配置した構成となっていたが、演奏者の演奏手法の癖や身体的な事情等により、各操作部１１２ａ，１１２ｂ，１１２ｃの配置を変更したいと思う場合もあり得る。そこで、図９に例示するように、操作部の数は同一であっても、他の位置に操作部９１ａ，９１ｂ，９１ｃを配置した電子楽器１１０’を製造メーカ等がユーザに提供することで、ユーザは各々の事情に合致した構成の電子楽器を適宜選択して用いることができる。また、上記実施形態で説明した円盤状電子楽器１１０の筐体部１１４は円盤状であったが、他の形状のもの、例えば図１０に示すように三角柱状の筐体部１１４’を有する電子楽器等１１０”を製造メーカがユーザに提供するようにしてもよい。このように操作構成の配置のみならず、全体としてデザイン（配色や形状）の異なる他種類の電子楽器を製造メーカがユーザに提供すれば、ユーザは各々の趣向に応じたデザインの電子楽器を選択して組み合わせることができる。
【００５５】
もちろん、上記のように種々のデザインの電子楽器をユーザに提供するだけではなく、左利きの演奏者に好適なタイプの電子楽器や右利きの演奏者に好適なタイプの電子楽器等を提供することで、楽器全体を交換することなく、例えば上記実施形態の、組み合わせ電子楽器１００における円柱状電子楽器１２０のみを、左利きの演奏者に適した電子楽器に組み替えることにより、左利きの演奏者に好適な操作系を有する電子楽器を提供することもできる。
【００５６】
Ｃ．変形例
なお、本発明は、上述した実施形態に限定されるものではなく、以下に例示するような種々の変形が可能である。
【００５７】
（変形例１）
上述した実施形態においては、円盤状電子楽器１１０および円柱状電子楽器１２０が音源２０３やスピーカシステム２０４（音源３０３やスピーカシステム３０４）等の楽音発生のための構成要素を有しており、各々単独の電子楽器としても機能するようになっていたが、組み合わせ電子楽器を構成するいずれかが単独の装置として電子楽器の機能を有しないものであってもよい。例えば、図１１に示すように、上記実施形態における円柱状電子楽器１２０に代えて、音源３０３やスピーカシステム３０４等を有しない、すなわち楽音発生機能を有しないセンサユニット（動作検出ユニット）４００を、円盤状電子楽器１１０の装着部１１１に装着して組み合わせ電子楽器を構成するようにしてもよい。
【００５８】
このように一方のセンサユニット４００が楽音発生機能を有していない場合には、上述した実行装置決定処理（図６参照）を行う必要はないが、円盤状電子楽器１１０が楽音発生機能を有する円柱状電子楽器１２０と、楽音発生機能を有しないセンサユニット４００の両者に対応することができるようにするため、センサユニット４００の制御部４０２も、上記実施形態における円盤状電子楽器１１０や円柱状電子楽器１２０と同様の実行装置決定処理を行うように構成しておく。ここで、制御部４０２のＲＯＭに格納しておく優先度情報を最も低い優先度を表す情報としておけば、当該センサユニット４００が楽音発生のための処理を主導的に行う装置として決定されることがない。すなわち、センサユニット４００は常に楽音発生のための処理を補助的に行う装置となり、自身を識別するための識別情報を主導的に楽音発生のための制御を行う接続相手の機器に出力し、これにより接続相手の機器において制御態様が設定される。この後、演奏者によって演奏操作がなされた場合、センサユニット４００は補助的に楽音発生のための処理を行う装置としての処理、すなわちセンサ３００の検出信号を接続相手の機器に出力送信する処理（図７のステップＳｂ８参照）を実行する。これにより、接続相手の機器のスピーカから、演奏者がセンサユニット４００に対して行った演奏動作を反映した楽音が発生することになる。
【００５９】
（変形例２）
また、上述した実施形態においては、円盤状電子楽器１１０と円柱状電子楽器１２０といった２つの電子楽器を組み合わせて組み合わせ電子楽器１００を構成する場合を例に挙げて説明したが、電子楽器を組み合わせる数は２つに限らず、３つ以上の電子楽器を組み合わせて組み合わせ電子楽器を構成するようにしてもよい。この場合、ある１つの電子楽器に他の機器を接続するための装着部（および接続インターフェース）を２つ以上設けるようにするとともに、図１２に示すように、ＥＥＰＲＯＭ等に格納する制御態様テーブルの「接続相手情報」に複数の機器を示す情報を格納できるようにする。図示の例では、接続相手が「電子楽器Ａ」と「電子楽器Ｂ」の２つである場合には、制御態様Ｄに記述された内容にしたがって楽音信号生成のための制御処理を行い、「電子楽器Ａ」と「電子楽器Ｃ」の２つである場合には制御態様Ｅにしたがって楽音信号生成のための制御処理を行う。
【００６０】
このように３つ以上の電子楽器を組み合わせて組み合わせ電子楽器を構成した場合の一例を図１３に示す。同図に示すように、この組み合わせ電子楽器１３０は、複数の装着部１１１が設けられた円盤状電子楽器５１０（接続インターフェースの数が装着部１１１の数に対応して複数ある以外の電気的構成は円盤状電子楽器１１０と同様）に、多数の操作パットユニット５２０が装着されている。
【００６１】
操作パットユニット５２０は、本体筐体部５２１と、操作パット５２２と、本体筐体部５２１を円盤状電子楽器５１０の装着部１１１に装着するためのケーブルコネクタ５２３とを有している。ここで、本体筐体部５２１の内部には、操作パット５２２が叩かれたか否かを検出する圧電センサ等が内蔵されており、当該圧電センサに加え、上記実施形態における信号処理部２０１や制御部２０２と同様の構成要素が内蔵されている。なお、円盤状電子楽器５１０が音源２０３やスピーカシステム２０４といった楽音発生のための機能を有する必要はなく、上記変形例で説明したように楽音発生機能を搭載しないものであってもよい。
【００６２】
このような組み合わせ電子楽器１３０を用いれば、演奏者は円盤状電子楽器５１０に設けられた操作部１１２ａ，１１２ｂ，１１２ｃに加え、各円盤状電子楽器５１０に設けられた操作パット５２２を操作して楽音発生を制御することができる。したがって、複数の演奏者が各々１つの円盤状電子楽器５１０に対する演奏操作を担当して楽曲演奏を行うといったことも可能である。このように複数で演奏する場合にも、演奏者の人数に応じて円盤状電子楽器５１０に接続する操作パットユニット５２０の数を決定し、人数が増えた場合には用意されている装着部１１１の数の範囲内で操作パットユニット５２０を新たに追加接続するといったことも可能である。
【００６３】
また、操作パットユニット５２０を薄型の床置きが可能な形状とすることで、複数の演奏者による演奏するといった使用方法以外にも、各操作パットユニット５２０に設けられた操作パット５２２を足で踏むことにより楽音発生を制御するといった新たな操作構成を有する電子楽器として使用することも可能である。さらに、各操作パットユニット５２０を壁等に掛けて設置し、ある程度の距離を離れた位置からユーザがボール等を壁掛けされた操作パットユニット５２０に対して投ずるといった遊びに使用することもできる。
【００６４】
（変形例３）
また、上述した実施形態では、円盤状電子楽器１１０や円柱状電子楽器１２０は、接続された相手の機器がどのような機器であるかの識別を、接続相手の機器から送信される識別情報を用いて行うようにしていたが、他の方法によって接続された相手の機器を識別するようにしてもよい。例えば、電子楽器等の機器の装着部近傍にその機器特有の位置に突起部等を設けるとともに、相手側の装置のメモリー等に突起部の位置と識別情報とを対応付けたテーブルを格納しておく。そして、上記突起部を有する機器が装着された相手側の機器において、当該突起部の位置を検出して上記テーブルを参照することにより、装着された相手を識別することができる。
【００６５】
（変形例４）
また、上述した実施形態では、円盤状電子楽器１１０と円柱状電子楽器１２０とを装着部１１１，１２１で装着した場合に、両者の接続端同士が接触することにより、両者間でのデータ通信を行うことができるようになっていたが、このように接続端同士を接触させて通信を行う手法に限らず、無線通信を用いて組み合わせた電子楽器間でデータ通信を行うようにしてもよい。
【００６６】
（変形例５）
また、上述した実施形態では、実行装置決定処理（図６参照）や楽音信号生成のための制御処理を実現するプログラムがＲＯＭ等に格納されている場合について述べたが、本発明はこれに限らず、上記のような制御処理をＣＰＵ等からなるコンピュータに実行させるプログラムの格納された例えばＣＤ−ＲＯＭ（Compact Disc-Read Only Memory）、ＤＶＤ−ＲＯＭ（Digital Versatile Disc-Read Only Memory）等のパッケージメディアでなる記録媒体としてユーザに提供するようにしてもよい。また、上記プログラムをインターネット等の電気通信回線を介してユーザに提供するようにしてもよい。
【００６７】
【発明の効果】
以上説明したように、本発明によれば、楽音発生のための操作内容等のフレキシブルな変更が可能となる。
【図面の簡単な説明】
【図１】  本発明の一実施形態に係る円盤状電子楽器および円柱状電子楽器を組み合わせて構成した組み合わせ電子楽器の外観を示す図である。
【図２】  前記円盤状電子楽器および前記円柱状電子楽器の組み合わせ構造を説明するための図である。
【図３】  前記組み合わせ電子楽器の電気的構成を示すブロック図である。
【図４】  前記組み合わせ電子楽器の構成要素である制御部に格納される制御態様テーブルの内容を説明するための図である。
【図５】  前記制御部によって実行されるメインルーチンを示すフローチャートである。
【図６】  前記制御部によって実行される実行装置決定処理の手順を示すフローチャートである。
【図７】  前記制御部によって実行される楽音信号生成のための制御処理の手順を示すフローチャートである。
【図８】  前記組み合わせ電子楽器の変形例を示す図である。
【図９】  前記組み合わせ電子楽器の変形例の外観を示す図である。
【図１０】  前記組み合わせ電子楽器の変形例の外観を示す図である。
【図１１】  前記組み合わせ電子楽器の変形例の電気的構成を示すブロック図である。
【図１２】  前記組み合わせ電子楽器の変形例の制御部に格納される制御態様テーブルの内容を説明するための図である。
【図１３】  前記組み合わせ電子楽器の変形例の外観を示す斜視図である。
【符号の説明】
１００……組み合わせ電子楽器、１１０，１１０’，１１０”……円盤状電子楽器、１１１……装着部、１１２ａ，１１２ｂ，１１２ｃ……操作部、１１４……筐体部、１２０，１２０’……円柱状電子楽器、１２１……装着部、１２２……案内溝、１２３……スライダー、１２４……筐体部、１３０……組み合わせ電子楽器、２００ａ，２００ｂ，２００ｃ……センサ、２０１……信号処理部、２０２……制御部、２０３……音源、２０４……スピーカシステム、２０５……接続インターフェース、２２０……ＣＰＵ、２２１……ＲＯＭ、２２２……ＲＡＭ、３００……センサ、３０１……信号処理部、３０２……制御部、３０３……音源、３０４……スピーカシステム、３０５……接続インターフェース、４００……センサユニット、４０２……制御部、５１０……円盤状電子楽器、５２０……操作パットユニット
【図１】
0003791371.tif 000002
【図２】
0003791371.tif 000003
【図３】
0003791371.tif 000004
【図４】
0003791371.tif 000005
【図５】
0003791371.tif 000006
【図６】
0003791371.tif 000007
【図７】
0003791371.tif 000008
【図８】
0003791371.tif 000009
【図９】
0003791371.tif 000010
【図１０】
0003791371.tif 000011
【図１１】
0003791371.tif 000012
【図１２】
0003791371.tif 000013
【図１３】
0003791371.tif 000014